(57)【特許請求の範囲】
【請求項１】
記録媒体を芯に巻きつけてなる記録媒体ロールにおいて、芯の表面に台状盛上り部を備え、記録媒体の芯側の面の末端部に台状盛上り部を備え、
前記芯の台状盛上り部と記録媒体の台状盛上り部は、記録媒体が引き出される方向と反対側の芯の台状盛上り部の側面に、記録媒体の台状盛上り部の側面が面として接して配置され、
前記芯の台状盛上り部の前記記録媒体に対向する面と、前記記録媒体の台状盛上り部の前記芯に対向する面は、それぞれ、粘着が可能な面とはなっておらず、
前記面として接する芯の台状盛上り部の前記側面と記録媒体の台状盛上り部の前記側面を粘着させて固定されていることを特徴とする記録媒体ロール。
【請求項２】
前記記録媒体の台状盛上り部が記録媒体側から粘着剤層とシートとを積層させたものであり、該粘着剤層の側面と前記芯の台状盛上り部の側面とを粘着させたものである請求項１記載の記録媒体ロール。
【請求項３】
前記芯の台状盛上り部が芯側から粘着剤層とシートとを積層させたものであり、該粘着剤層の側面と前記記録媒体の台状盛上り部の側面とを粘着させたものである請求項１又は２に記載の記録媒体ロール。
【請求項４】
前記面として接する芯の台状盛上り部の前記側面と記録媒体の台状盛上り部の前記側面の少なくとも一方が、粘着剤の塗布または粘着剤の貼り付けにより粘着が可能な面となっている、請求項１に記載の記録媒体ロール。
【請求項５】
前記芯の台状盛上り部と前記記録媒体の台状盛り上がり部の少なくとも一方を記録媒体の横幅方向に断続的に配置させた、請求項１から４の何れか一項に記載の記録媒体ロール。
【請求項６】
前記台状盛上り部を記録媒体の引き出し方向に位置を異ならせて配置させた、請求項１から５の何れか一項に記載の記録媒体ロール。
【請求項７】
前記記録媒体が、芯側の面にセパレーター層を有しており、前記記録媒体の台状盛上り部がセパレーター層の上に設けられている請求項１〜６のいずれか一項に記載の記録媒体ロール。
【請求項８】
前記記録媒体がインクジェット記録用媒体である請求項１〜７のいずれか一項に記載の記録媒体ロール。
【発明の詳細な説明】
【技術分野】
【０００１】
本発明は、記録媒体を芯に巻きつけてロール状にして供給するロール状記録媒体において、記録媒体の末端部を芯に固着する部分の改良により、末端部が芯からはがれる時の問題点を解決したロール状記録媒体に関する。
【背景技術】
【０００２】
インクジェット記録方式や感熱記録方式などの記録方式では、記録媒体をロール状に巻いて連続的に供給する方式が、記録媒体を一枚づつ供給する方式と同程度に使用されている。そして高級な装置においては画像を記録する際に記録媒体の搬送を精密に制御する必要があり、ロール状記録媒体についても記録媒体を芯に固着して搬送の際の位置ずれが起きないようにしている。
媒体を芯に固着したロール状長尺媒体として、例えば特許文献１では長尺フィルムを両面テープで巻き芯に直接固着しているものが開示され、特許文献２では長尺インクフィルムが芯に直接熱溶着または両面テープで固着させたものが開示されている。
記録媒体を芯に固着したロール状記録媒体としては、例えば特許文献３にあるように熱可塑性樹脂でできた記録媒体を芯に直接熱溶着しているものがある。
【０００３】
インクジェット記録方式などの記録方式では、ロール状で供給される記録媒体を最後まで使用できるように、芯に固着されている記録媒体の末端部が媒体搬送の駆動力で芯から剥がれて末端部まで記録に使用できるようにしているものが多い。
この場合、固着するための粘着性物質、特に粘着テープの糊材が付着したままプリンター内を搬送されることになり、この粘着部分が装置内の部材に粘着して搬送不良を起こしたり、糊を付着させて装置の運動部分の動きを悪くする問題があった。
また、搬送駆動力で固着部分をはがすので、この固着部分において突然に駆動抵抗が大きくなり、駆動装置に大きな負担をかけて装置の寿命を短くする問題点もあった。この問題点はインクジェット記録装置に限らず記録媒体に記録する装置であれば起こりうる。
【先行技術文献】
【特許文献】
【０００４】
【特許文献１】特開平１−２０９２８１号公報
【特許文献２】特開昭６４−７５２７５号公報
【特許文献３】特開２０００−１９１１８９号公報
【発明の開示】
【発明が解決しようとする課題】
【０００５】
本発明の目的は、上記の問題点を解決することである。すなわち芯から剥がれた後の記録媒体末端部に粘着性物質が残らず、また剥がれる際の駆動抵抗も小さい固着方法で記録媒体の巻き芯への固着をしたロール状記録媒体の提供である。
【課題を解決するための手段】
【０００６】
上記目的の解決手段は下記の発明１の通りである。
（発明１）  記録媒体を芯に巻きつけてなる記録媒体ロールにおいて、芯の表面に台状盛上り部を備え、記録媒体の芯側の面の末端部に台状盛上り部を備え、
前記芯の台状盛上り部と記録媒体の台状盛上り部は、記録媒体が引き出される方向と反対側の芯の台状盛上り部の側面に、記録媒体の台状盛上り部の側面が面として接して配置され、
前記面として接する芯の台状盛上り部の側面と記録媒体の台状盛上り部の側面を粘着させて固定されていることを特徴とする記録媒体ロール。
【０００７】
発明２は、
前記記録媒体の台状盛上り部が記録媒体側から粘着剤層とシートとを積層させたものであり、該粘着剤層の側面と前記芯の台状盛上り部の側面とを粘着させたものである発明１に記載の記録媒体ロールである。
発明３は、
前記芯の台状盛上り部が芯側から粘着剤層とシートとを積層させたものであり、該粘着剤層の側面と前記記録媒体の台状盛上り部の側面とを粘着させたものである発明１と発明２のいずれかに記載の記録媒体ロールである。
発明４は、
前記芯の台状盛上り部と前記記録媒体の台状盛り上がり部の少なくとも一方を記録媒体の横幅方向に断続的に配置させたものである発明１から３のいずれかに記載の記録媒体ロールである。
発明５は、
前記台状盛上り部を記録媒体の引き出し方向に位置を異ならせて配置させた発明１から４のいずれかに記載の記録媒体ロールである。
発明６は、
前記記録媒体が、芯側の面にセパレーター層を有しており、前記記録媒体の台状盛上り部がセパレーター層の上に設けられている発明１から５のいずれかに記載の記録媒体ロールである。
発明７は、
前記記録媒体がインクジェット記録用媒体である発明１から６のいずれかに記載の記録媒体ロールである。
【発明の効果】
【０００８】
本発明のロール状記録媒体は、記録媒体を芯に固着させるための粘着剤をその引き出し終端部の表面に露出させていないので、記録媒体が搬送部材や搬送側面に貼りつく可能性が低い。また、セパレーター層付記録媒体では、記録媒体終端を芯から取り出した後にセパレーター層を記録媒体から取り外せば、記録媒体から粘着剤が取り除かれるので特に好ましい。
また、台状盛り上がり部での引っかかりを利用して固定するので粘着剤による粘着面積も小さく、記録媒体が芯から外れるときの衝撃も小さく、駆動部材への衝撃も軽減できる。
【図面の簡単な説明】
【０００９】
【図１】図１は、ロール状記録媒体の実施形態の一例を示す図であり、記録媒体２の基材に直接設けた台状盛り上がり部２１と芯の台状盛り上がり部１１とを粘着して固定した状態を示す模式図である。
【図２】図２は、ロール状記録媒体の実施形態の一例を示す図であり、記録媒体２にセパレーター層３を設け、その上に台状盛り上がり部２１を設けた例を示す模式図である。
【図３】図３は、芯１の台状盛り上がり部１１とそれに各々対応する記録媒体２側の台状盛り上がり部２１の、形状および配列の一例を示す模式図である。
【図４】図４は、図３のｂ１に示す芯１の粘着剤層１２の側部と、図３のｂ２に示す記録媒体２の粘着剤層２２の側部とを粘着して芯の台状盛上り部１１と記録媒体の台状盛上り部２１とを固着させた状態を示した模式図である。
【発明を実施するための形態】
【００１０】
以下、本発明のロール状記録媒体の実施形態を図面を参照しつつ説明する。
図１は、ロール状記録媒体の実施形態の一例を示す図であり、記録媒体２の基材に直接設けた台状盛り上がり部２１と芯の台状盛り上がり部１１とを粘着して固定した状態を示す模式図である。
図１に示すロール状記録媒体１０Ａは、記録媒体２を記録面を外側にして芯１に巻きつけて供給する記録媒体ロールであり、芯１の表面には台状盛上り部１１が設けられ、記録媒体２の末端部（巻き始め端部）の芯側の面にも台状盛上り部２１が設けられている。前記芯の台状盛上り部１１と記録媒体の台状盛上り部２１は、記録媒体２が引き出される方向と反対の芯の台状盛上り部１１の側面に、記録媒体の台状盛上り部２１の側面が面として接するように配置され、前記面として接する芯の台状盛上り部１１と記録媒体の台状盛上り部２１の側面は粘着剤により固定されている。
【００１１】
図１に示すロール状記録媒体１０Ａでは、芯の台状盛り上がり部１１と記録媒体の台状盛り上がり部２１とがそれぞれ粘着剤層とシートを積層することで形成されており、芯の台状盛り上がり部１１においては芯１側から粘着剤層１２とシート１３がこの順に積層されており、記録媒体の台状盛り上がり部２１においては記録媒体２側から粘着剤層２２とシート２３がこの順に積層されている。かかる構成により、ロール状記録媒体１０Ａは、芯の粘着剤層１３の側面と記録媒体の台状盛上り部２１の側面とが粘着されるとともに、記録媒体２の粘着剤層２３の側面と芯の台状盛上り部１１の側面とが粘着されている。
【００１２】
そして、芯の盛上り部１１と記録媒体の盛上り部２１により固着された記録媒体２は芯１に複数回巻きつけられてロール状記録媒体を形成する。
記録媒体２が巻き取られて使い切るとき、記録媒体２は矢印の方向に引っ張られ、記録媒体の台状盛上り部２１は芯の台状盛上り部１１から剥ぎ取られ、記録媒体の進行とともに記録装置の記録媒体搬送路の中を移動していく。
粘着可能領域は台状盛り上がり部の側面にのみ存在し、記録媒体の表面には露出しないため、移動中に記録媒体が搬送部材や側面に貼り付く危険がほとんどなくなる。
【００１３】
図１において、芯１は円筒のものならなんでもよく、管になっていてもよい。プラスチックや紙の管が好ましい。
芯１の外側表面には台状盛上り部１１が表面に密着して設けられる。材質は何でもよく、芯に使用される部材でもよい。また粘着剤１２をおいてその上にプラスチックなどのシート１３を貼り付けてもよい。片面テープを貼り付けると粘着剤１２とシート１３の積層体が一度の工程で作成できる。
【００１４】
また、芯の台状盛り上がり部１１は、芯に厚みのあるプラスチックを貼り付けるなどにより台状盛り上がり部を設け、台状盛り上がり部の側面を、粘着剤の塗布や粘着剤の貼り付けなどにより粘着が可能な面としてもよい。記録媒体の台状盛り上がり部２１も、同様に、記録媒体に厚みのあるプラスチックを貼り付けるなどにより台状盛り上がり部を設け、台状盛り上がり部の側面を、粘着剤の塗布や粘着剤の貼り付けなどにより粘着が可能な面としてもよい。芯の台状盛り上がり部１１と記録媒体の台状盛り上がり部２１はそれらの少なくとも一方を粘着が可能な側面とすれば側面をお互いに粘着させることが可能である。なお、芯の台状盛り上がり部１１及び記録媒体の台状盛り上がり部２１は、それぞれ、芯あるいは記録媒体に対向する上面には粘着剤を設けない。
【００１５】
なお、芯の台状盛り上がり部１１の記録媒体が引き出される方向と反対側の側面である、記録媒体の台状盛り上がり部２１の側面と接する側面は、芯１の横幅方向（記録媒体の横幅方向）に沿って芯１の中心線から芯１の外側へ向かって鉛直方向へ延びる面と平行な面である場合に限らず、この平行な面から、鉛直方向の外側あるいは中心側に傾いた面であったり、及び／あるいは、前記平行な面から芯１の横幅方向に交差する方向に傾いた面であってもよい。それらの傾きは４５°以下が好ましい。
【００１６】
また、記録媒体の台状盛り上がり部２１の側面であって芯の台状盛り上がり部１１の側面と接する側面は、記録媒体が引き出される方向の側面であるが、この側面も同様に、芯１の横幅方向（記録媒体の横幅方向）に沿って芯１の中心線から芯１の外側へ向かって鉛直方向へ延びる面と平行な面である場合に限らず、この平行な面から、鉛直方向の外側あるいは中心側に傾いた面であったり、及び／あるいは、この平行な面から芯１の横幅方向に交差する方向に傾いた面であってもよく、お互いに接する芯の台状盛り上がり部１１の側面と平行な面であることが好ましい。
【００１７】
記録媒体２は、記録可能な基材のみからなっていてもよく、また、紙、合成樹脂フィルムなどからなる基材２Ａの上に、インク受容層２Ｂを設けたものから成っていてもよい。セパレーター層を備えない場合は、記録面は記録媒体２の芯１側でも芯１側の反対側でもよい。
【００１８】
本発明において粘着剤層１３，２３の形成、あるいは、台状盛り上がり部の側面に粘着剤を塗布する際に使用される粘着剤としては、アクリル系粘着剤、ゴム系粘着剤、シリコーン系粘着剤が使用でき、例えば酢酸ビニル、エチルアクリレート、エチルメタクリレート、メチルアクリル酸、アクリル酸などのモノマーから選ばれた繰り返し単位構造を有するエチレン系不飽和コポリマーがある。また、エチレン若しくはプロピレンのホモポリマー、エチレンとプロピレンとのコポリマー、エチレンとメチルアクリル酸若しくはアクリル酸とのイオノマー、グラフト化酸無水物コポリマー、ポリアミド、ポリウレタン、及びこれらの相容性ブレンドも挙げることができる。
また、片面粘着テープの粘着剤も利用できる。
【００１９】
台状盛上り部を設けるには、市販の片面粘着テープを使用するのが好ましい。これを使用すればその片面粘着テープの側面が上記台状盛上り部の側面となり、その粘着剤部分の側面が粘着能力部分として利用でき、粘着剤とシートからなる積層体からなる台状盛上り部を設ける工程と粘着剤付与工程を一度の工程で済ますことができる。
台状盛り上がり部の粘着剤領域は、図１に示すように、芯の台状盛り上がり部１１の側面と記録媒体の台状盛り上がり部２１の側面の双方に形成してもよいが、いずれか一方の台状盛り上がり部の側面に形成されていればよい。
芯の台状盛り上がり部１１と記録媒体の台状盛り上がり部２１の双方に粘着剤領域を形成する場合には、各台状盛り上がり部における粘着能力がある領域が互いに少なくとも一領域は当接するように、粘着剤層の厚みや粘着剤の塗布領域を調整して配置することが好ましい。これにより、双方の粘着能力を生かすことができる。
芯の台状盛り上がり部１１及び記録媒体の台状盛り上がり部２１の粘着能力領域は、それぞれ、芯１あるいは記録媒体２に対向する上面（頂上台地）や側面の該上面に近い領域（側面頂上部）には存在させないように注意する必要がある。このような形態を作るには上記の片面粘着テープを使用するのが最も有効である。
【００２０】
本発明におけるシート１３，２３にはポリエチレンフィルム、ポリプロピレンフィルム、ポリエステルフィルムなどが使用できる。
【００２１】
次に、記録媒体２の記録面と反対の側にセパレーター層３を有する、インクジェット記録媒体として好適に用いられるロール状記録媒体の具体例を示す。
図２はその一具体例の模式的断面図である。図２において、記録媒体２は、基材２Ａと、基材２Ａの一方の面に設けられたインク受容層２Ｂからなる。この記録媒体２のインク受容層２Ｂがある記録面とは反対の面に剥離層３２とセパレーター基材３１が設けられる。
【００２２】
セパレーターの剥離層３２の形成材料としては、例えば、アクリル系接着剤、例えばイソオクチルアクリレートとアクリル酸の共重合体など、合成ゴム系接着剤、例えばシリコーン、ポリイソプレン、ポリブタジェン、スチレン−イソプレン−スチレン共重合体など、天然ゴム系接着剤、その他を挙げることができる。シリコーン樹脂接着剤、アクリル系接着剤や合成ゴム系接着剤が特に有用である。
【００２３】
剥離層３２の厚みは、０.１〜１.０μｍ程度であることが好ましい。
【００２４】
セパレーターの基材３１としては、例えばＰＥＴフィルム、オレフィン樹脂フィルム、ＰＰＳ樹脂フィルム、ＴＡＣフィルム、アクリル樹脂フィルムからなる記録媒体用基材と同様の基材を選択することができ、厚みは２５〜１５０μｍ程度である。
【００２５】
本発明では、セパレーター層３付き記録媒体２であるロール状記録媒体１０Ｂは具体的には下記のように作成した。
【００２６】
〔セパレーター層３付き記録媒体２の作成〕
セパレーター基材３１として厚み５０μｍのＰＥＴフィルムの片面に不揮発分重量比でシリコーン樹脂粘着剤（ＦＳ  ＸＡ−２５４１、ダウ・コーニング・アジア株式会社製）／シリコーンゴム（シラスコン  ＲＴＶ４０８６Ａ、ダウ・コーニング・アジア株式会社製）／シリコーンゴム（シラスコン  ＲＴＶ４０８６Ｂ、ダウ・コーニング・アジア株式会社製）＝２４．８／３７．６／３７．６に混合し、トルエンを用いて不揮発分３０．０％に調整したものをメイヤーバーを用いて乾燥膜厚３０μｍになるように塗布し、１６５℃、２時間熱風中で乾燥、キュアさせて、セパレーター基材３１に剥離層３２を設けてなるセパレーター層３付き記録媒体２を作製した。
このセパレーター付き媒体３を、インク受容層２Ｂを有する長尺インクジェット記録媒体のインク受容層２Ｂのある側とは反対の面に貼り付けて、セパレーター層３付き記録媒体２であるロール状記録媒体１０Ｂとした。
【００２７】
このセパレーター基材３１の表面に、図３のＢに示すように台状盛り上がり部を形成した。即ち、記録媒体の台状盛上り部２１として片面粘着テープ２１が図３に示すｂ２のごとくに斜めに貼り付けられる。記録媒体の盛上り部２１を構成する粘着剤層２２は例えば厚み１２５μｍの下記の粘着剤からなる粘着剤層であり、シート２３は例えば、厚み７５μｍのＰＥＴシートである。
【００２８】
一方、芯１（例えば紙管）側にもこの斜めに貼り付けた片面粘着テープ２１の側面に接することができるように、芯の盛上り部１１として片面粘着テープが図３に示すｂ１のように貼り付けられる。片面粘着テープは、粘着剤層１２とシート１３とから構成されてなる。
【００２９】
粘着剤層１２，２２の粘着剤は、具体的には下記のようにして作成されたものである。
（粘着剤の作成）
メチルアクリレート８７ｇ、２−ヒドロキシエチルアクリレート１３ｇ、２−ブタノン６０ｇ、酢酸エチル６０ｇを混合し、６０℃、２４時間窒素雰囲気下で攪拌した後、エポキシ系樹脂として、アクリロイル基付加クレゾールノボラック樹脂（日本化薬株式会社製、ＣＮＡ−１４７）  ２４ｇ、熱硬化剤として、ザイロック型フェノール樹脂（三井化学株式会社、ミレックスＸＬＣ−４Ｌ）  ５ｇ、硬化促進剤として、イミダゾール（四国化成工業株式会社製、キュアゾール２ＰＨＺ）  ０．２ｇ（固形分換算値）を加えて粘着剤とした。
【００３０】
片面粘着テープは市販のものをそのまま使用することができ、工程を減らすことができる。
【００３１】
そして図４に示すように芯の台状盛上り部１１および記録媒体の台状盛上り部２１の各々の粘着剤層（粘着剤層１２と粘着剤層２２）の側面が接するように配置すれば双方の粘着剤層の粘着力で固着する。
例えば、厚み１２５μｍの粘着剤層と厚み７５μｍのシートからなる片面粘着テープを、芯の台状盛上り部１１および記録媒体の台状盛上り部２１として使用すれば、約５０μｍの長さで固着することになる。
この片面粘着テープはセパレーターを剥がすことにより一緒に記録媒体２から剥がれていく。
【００３２】
図３は、芯の台状盛上り部１１および記録媒体の台状盛上り部２１の各々の盛上り部の配置の方法のその他の一例を表している。
【００３３】
Ａ（a１、a２）に示す配置形態のように芯１の横幅方向（図３の左右の方向）に沿って連続させて台状盛り上がり部１１を延在して設けるとよい。記録媒体の台状盛り上がり部２１も同様に記録媒体２の横幅方向（芯の横幅方向と同じ）に沿って連続させて設けるとよい。
【００３４】
配置形態Ｂ（ｂ１、ｂ２）のように、台状盛り上がり部を横幅方向に連続させ、記録媒体の引き出し方向（図３の矢印方向）に位置を異ならせて設けてもよい。また、芯の台状盛り上がり部１１と記録媒体の台状盛り上がり部２１の少なくとも一方を横幅方向に断続的に設けてもよい。
【００３５】
配置形態Ｃ（ｃ１、ｃ２）では、台状盛り上がり部を横幅方向に断続的に設けさらに記録媒体引き出し方向に位置を異ならせて配置させている。台状盛り上がり部を引き出し方向に位置を異ならせて配置することで、台状盛り上がり部において記録媒体２が芯１から剥がれるときの抵抗を時間的に分散することにより装置への衝撃負荷を低減できる。また、台状盛り上がり部を横幅方向に断続的に設けることで記録媒体２が芯１から剥がれるときの抵抗の調整が可能である。特に、配置形態Ｃでは、記録媒体２が引き出される方向に長さの短い複数の台状盛り上がり部を引き出し方向に位置を異ならせて配置することにより剥がれるときの抗力を低くすることができ、記録媒体２の駆動装置への衝撃的負荷を低減でき、機械の寿命を延ばすことできる。なお、芯の台状盛り上がり部と記録媒体の台状盛り上がり部は、少なくとも一方を、断続的に設けることで、記録媒体２が芯１から剥がれるときの抵抗の調整が可能である。
【００３６】
更に、芯の台状盛り上がり部１１の記録媒体が引き出される方向と反対側の側面である、記録媒体の台状盛り上がり部２１の側面と接する側面は、芯１の横幅方向（記録媒体の横幅方向）に沿って芯１の中心線から芯１の外側へ向かって鉛直方向へ延びる面と平行な面である場合に限らず、この平行な面から、鉛直方向の外側あるいは中心側に傾いた面としてもよい。この場合、例えば、芯の台状盛り上がり部１１の縦断面は台形状となる。このとき、芯１の台状盛り上がり部１１の側面と接する記録媒体の台状盛り上がり部２１の側面は、前記芯１の台状盛り上がり部１１の側面と平行であることが好ましく、即ち逆台形状として形成されることが好ましい。
【符号の説明】
【００３７】
１  芯、  ２  記録媒体、  ２Ａ  記録媒体用基材、  ２Ｂ  インク受容層、  ３  セパレーター層、  １０Ａ,  １０Ｂ  ロール状記録媒体、  １１  芯の台状盛上り部、  １２  粘着剤層、  １３  シート、  ２１  記録媒体の台状盛上り部、  ２２  粘着剤層、  ２３  シート、  ３１  セパレーター基材、  ３２  剥離層。
【図１】
0005668483.tif 000002
【図２】
0005668483.tif 000003
【図３】
0005668483.tif 000004
【図４】
0005668483.tif 000005